(57)【要約】      （修正有）【課題】光源の防水シール構造が容易で、照明効率の優れた安価な光歯ブラシを提供すること。【解決手段】替歯ブラシ３は、植毛１４のほぼ中央部に透光穴１５を設け、その内部は中空体とし、透光部１３の防水シール処理のない歯ブラシハンドル容器１は、内側に光源４を挿入し、先端に設けた透光部１３を替歯ブラシ３の中空体に挿入して、着脱自在とし、物理的浄化作用も実施できるよう歯ブラシハンドル容器１に振動源１７を設ける。【選択図】図３
2009022697.tif 000002
【特許請求の範囲】
【請求項１】
歯ブラシハンドル容器の内側先端に光源を挿入し、着脱自在になる構造の替歯ブラシの植毛近傍にその光源があり、光源より歯ブラシハンドル容器を透光して口腔内を光照射する光歯ブラシ。
【請求項２】
透光部が継ぎ目の無い歯ブラシハンドル容器の請求項１、記載の光歯ブラシ。
【請求項３】
透光部をインサート成型した歯ブラシハンドル容器の請求項１、記載の光歯ブラシ。
【請求項４】
上記請求項１、２及び３記載の光源と共に歯ブラシハンドル容器内の先端替歯ブラシ振動を誘起する振動源を有する光歯ブラシの構成。
【発明の詳細な説明】
【技術分野】
【０００１】  本発明は口腔内浄化ブラッシングを行う歯ブラシに関するものである。従来から各種光歯ブラシはあるが歯ブラシ植毛部分より光源までの距離が離れていて極めて照明効率が悪い欠点がある。
また歯ブラシは口腔内で使用するので歯ブラシ植毛部の透光カバー貼り付け構造は完全密閉な防水性が求められるが、従来の方式では透光カバー貼り付け構造は継ぎ目がありこの継ぎ目防水シール処理は品質が不安定で製造コストが高くなる欠点がある。
さらに歯ブラシ植毛部及び歯ブラシハンドル部が一体になっているものも多く、植毛が消耗すると光歯ブラシ全体の寿命となり大変不経済である。
歯周病患者が少なくならないのは、従来の歯ブラシ及び歯磨き方式では口腔内浄化が極めて不充分であるのが現状である。
【背景技術】
【０００２】  従来の方法では歯ブラシの使用方法により口腔内浄化ブラッシングの効果に差が出て充分に効果を発揮することができなかったが口腔内浄化ブラッシング時に光照射することで光触媒作用により細菌を効果的に死滅させ、むし歯・歯周病等の予防を効率良く行うことができる。【０００３】  光を照射することで細菌を死滅させることは知られているが、二酸化チタンなどを添加した歯磨き剤・洗口液等を使用することで更に光触媒効果で口腔内浄化をすることができる。【０００４】  光を有効に利用するために必要な照度に関する照明の法則が二つある、すなわち、１、距離の逆二乗の法則：光源から距離ｈだけ隔たった面に得られる照度は、１／ｈの二乗、に比例する、光源から遠ざかると照度は急速に低下する、２、入射角の余弦の法則：光源からの距離を同一にしたまま、面を回転させると面の照度は入射角の余弦に比例して変化する、面が光源の方向に向かっているとき、入射角＝０、が最も明るい。【０００５】  特許文献１に開示された光歯ブラシは、光源よりリフレクタまでの距離が長く、光伝達にリフレクタへの入射角があるので照明効率が悪い欠点がある。
また光歯ブラシは口腔内にて使用するので完全密閉な防水性が求められるが透光部の構造が複雑で特に透光カバーは、リフレクタの組立後最後に貼り付けなければならないので継ぎ目防水シール処理は品質が不安定になり製造困難でコストも高い欠点があり実用的でない。さらに歯ブラシは植毛部とハンドル部が一体になっていて、植毛が消耗すると光歯ブラシ全体の寿命となり大変不経済である。
【特許文献１】特許第３８１３９７８号
【０００６】  光ファイバーを使用して光伝達する、特許文献２に開示された光歯ブラシは光ファイバーを用いることで高価になり、また光ファイバーの光伝達ロスで照明効率が悪くなる欠点があり、実用性に問題がある。
さらに透光カバー貼り付けは完全密閉な防水性が求められるが透光カバーの継ぎ目防水シール処理は品質が不安定になり製造コストも高くなる欠点がある。
【特許文献２】特許第２６１５５０５号
【発明の開示】
【発明が解決しようとする課題】
【０００７】  従来の光歯ブラシには、特許文献１及び特許文献２にあるように次のような欠点があった、光伝達ロスで照明効率が悪く光を有効に利用していない、光伝達構造が複雑で製造コストが高くなる、透光カバーの継ぎ目防水シール処理は構造が複雑で品質が不安定になり製造コストも高くなる。
【課題を解決するための手段】
【０００８】  本発明は前記の欠点を解決することができた。すなわち、ＬＥＤ等の光源より光伝達の照明効率を高めるため歯までの距離を最短にして直接照射、入射角＝０にした。このように光源の位置を歯ブラシの植毛部近傍に配置したため構造も単純になった。また継ぎ目の無いハンドル容器の内側に光源を挿入したので、透光部カバー貼り付け防水シール処理を必要としなくなり構造も単純になった。これで従来方式の欠点が解決できた。
【発明の効果】
【０００９】  光源を歯ブラシ植毛部近傍に配置して歯までの最短距離とし、直接照射、入射角＝０、にしたため照明効率を大幅に向上することができ構造も単純になる。
光源からの直接照射なので、光源の持っている放射特性の光源を選定することによりレンズ等を用いずに放射特性が得られるので、最適な照射を容易に作れる。【００１０】  継ぎ目の無い歯ブラシハンドル容器の内側に光源を挿入したので、透光カバー貼り付け防水シール処理を必要としなくなり構造も単純になる。
透光カバー貼り付けは、超音波溶着、接着剤のり付け等が考えられるがいずれも特殊工程により品質が不安定になり製造コストも高くなるが、本発明はこれらの透光カバーを不要にできる。
【実施例】
【００１１】  図３に示す全体構成は従来の歯ブラシとほぼ類似しているが、歯ブラシハンドル容器１の胴体部は乾電池８とスイッチ６を収納してふくらみをもっている、スイッチ６は防水性スイッチカバー７で気密構成とし、また歯ブラシハンドル容器１とフタ２はＯリングで気密構成としてネジにより固定している。【００１２】  光照射によるクリーン機能を増進するため、替歯ブラシ先端を歯ブラシハンドル容器の振動源１７により物理的浄化作用も実施できる。【００１３】  図５に示すプリント基板５に光源４をハンダ付けしそのプリント基板５をスイッチ６及び乾電池８を収納している内筒１１に取り付け結線している、この内筒１１を図４に示す歯ブラシハンドル容器１の開口部１２より挿入しツメにより歯ブラシハンドル容器１に固定している。【００１４】  図２に示す着脱自在の替歯ブラシ３は平面図（ａ）とその側断面図（ｂ）の如く構成されていて植毛１４はほぼ中央部に透光穴１５を設け、その内部は中空体１６とし図３に示す歯ブラシハンドル容器１の先端、透光部１３を中空体１６に挿入して着脱自在としている。【００１５】  図３に示す本発明の光歯ブラシの側断面図によれば透光部１３は替歯ブラシ３の植毛１４近傍で光が効率よく透光できるように透明の樹脂材質が望ましく、またその他の部分は内部が見えない不透明な樹脂材質が望ましいので歯ブラシハンドル容器１の成形方法はまず先端の透光部分を透明な材質で成形しこの成形した透光部分をインサートしてハンドル部を不透明な材質でインサート成形すれば一体にできるので接着処理等の防水シール処理は不必要である、このことは光源４を、チップＬＥＤ・有機ＥＬランプ等小型化し歯ブラシハンドル容器１の透光部１３を継ぎ目なしにすることにより可能となる。
【産業上の利用可能性】
【００１６】  本発明は、歯みがきに用いる歯ブラシで口腔内浄に光を利用した光歯ブラシに関するものである。
【図面の簡単な説明】
【００１７】
【図１】本発明の光歯ブラシ（ａ）は正面図  （ｂ）は側面図である。
【図２】替歯ブラシの（ａ）は正面図  （ｂ）は側面断面図の拡大図である。
【図３】本発明の側面断面図である。
【図４】歯ブラシハンドル部の側面断面図である。
【図５】内筒部の側面断面図である。
【符号の説明】
【００１８】  １、  歯ブラシハンドル容器
２、  フタ
３、  替歯ブラシ
４、  光源
５、  プリント基板
６、  スイッチ
７、  防水性スイッチカバー
８、  乾電池
９、  バネ
１０、  Ｏリング
１１、  内筒
１２、  歯ブラシハンドル容器開口部
１３、  透光部
１４、  植毛
１５、  透光穴
１６、  中空体
１７、  振動源
【図１】
2009022697.tif 000003
【図２】
2009022697.tif 000004
【図３】
2009022697.tif 000005
【図４】
2009022697.tif 000006
【図５】
2009022697.tif 000007